(57)【要約】【課題】未使用時の保管に場所をとらず、組立、解体時の取扱いが便利であり、洪水に際して迅速な対応が可能であり、簡単なネジの締付け作業だけで、確実な水密状態と優れた耐圧性とを得ることができる止水装置を提供する。【解決手段】止水装置１は、水を堰止める位置の床面１０に予め設けたアンカー部材１３のネジ孔に対してパッキング材を中間に介在させてボルト１４をねじ込むことにより固定される床板部材２と、水を堰止める位置の構造物の対向する壁面１１，１２に予め設けたアンカー部材１３のネジ孔に対してパッキング材を中間に介在させてボルト１５をねじ込むことにより固定される左右の支柱部材３，３と、下端縁と両側縁とが床板部材２と左右の支柱部材３，３とにそれぞれパッキング材を中間に介在させてボルト１６，１７より固定される止水板４とで構成されている。【選択図】図２
2015161130.tif 000002
【特許請求の範囲】
【請求項１】
構造物の開放された床面上の空間より水が流入しないように前記空間内の所定の位置で水を堰き止めるための止水装置であって、
水を堰止める位置の床面に予め形成したネジ孔に対してパッキング材を中間に介在させてネジをねじ込むことにより固定される床板部材と、水を堰止める位置の構造物の対向する壁面に予め形成したネジ孔に対してパッキング材を中間に介在させてネジをねじ込むことにより固定される左右の支柱部材と、下端縁と両側縁とが前記床板部材と左右の支柱部材とにネジにより固定される止水板とから成り、
前記止水板は、表裏両面が金属製の表層板、内部が中空または発泡材より成る芯材により構成されており、前記床板部材および左右の支柱部材は、溝幅が前記止水板の厚みより大きな凹溝を全長にわたって有する金属製の枠材であって対向する一方の側板部に複数のネジ孔が形成されており、
前記止水板の下端縁は前記床板部材の凹溝内に、両側縁は前記左右の支柱部材の凹溝内に、それぞれ位置し、床板部材の他方の側板部と止水板との間および各支柱部材の他方の側板部と止水板との間にそれぞれパッキング材が介在し、各パッキング材が圧縮変形するように床板部材および各支柱部材に形成された前記の各ネジ孔にねじ込まれたネジの先端で止水板が押し付けられて成る止水装置。
【請求項２】
前記止水板は、下端縁、両側縁、および上端縁に凹溝形の金属製の下枠材、側枠材、および上枠材がそれぞれ嵌着されており、前記上枠材には全長にわたって両側方へ突出するフランジが一体形成されている請求項１に記載された止水装置。
【請求項３】
前記止水板は、上下に段積みされる複数個の止水板により構成されるとともに、上下の止水板の衝き合わせ部分はパッキング材を介在させて連結されている請求項１に記載された止水装置。
【請求項４】
前記止水板は、横並びに連なる複数個の止水板により構成されるとともに、左右の止水板の衝き合わせ部分はパッキング材を介在させて連結されている請求項１に記載された止水装置。
【請求項５】
前記止水板は、床面上に縦設される支持アームにより屋内側より支えられている請求項１〜４のいずれかに記載された止水装置。
【発明の詳細な説明】
【技術分野】
【０００１】
この発明は、家屋、ビル、地下鉄、地下道などの構造物において、洪水時に出入口などの開放された床面上の空間より水が流入しないように前記空間内の所定の位置で水を堰き止めるための止水装置に関し、この発明は特に、既設の構造物に対しても容易に設置できる止水装置に関する。
【背景技術】
【０００２】
近年、集中豪雨による河川の氾濫が各地で頻発しており、また、巨大地震による津波の発生が懸念されていることもあり、新築の建造物には、その出入口などに屋内への水の流入を阻止するための止水装置が設置されるようになってきた。しかし、この種の止水装置は、建物の出入口などにおいて、例えば、床面を掘削するなどして止水板が起伏可能に組み付けられるもので、概して設備が大掛かりであり、既設の建物の出入口などに設置するには、大掛かりな工事が必要となり、費用がかさむという問題がある。
【０００３】
このため、既設の建物については、水災害に対する備えができず、河川の氾濫などが間近かに迫ったとき、土嚢を積み上げるなどの応急措置によって急場を凌ぐより他はない。しかし、そのような場当たり的な対応では、不測の洪水に対して被害を最小限にとどめることは困難である。そこで、河川の氾濫が間近に迫ったときでも、建物の出入口などに容易に設置できる種々の止水装置が提案されている（例えば、特許文献１参照）。
【０００４】
特許文献１に記載の止水装置は、洪水に際し、建造物の出入口の床面上に接地板を載置し、その接地板の両端部に固着された両側のレール材に止水板の両端部を嵌入しながら止水板を落とし込んだ後、第１の加圧装置を操作して止水板を下方へ押し付けて接地板との間のパッキング材を圧縮変形させるとともに、第２の加圧装置を操作して止水板を前方へ押し付けてレール材との間のパッキング材を圧縮変形させ、これにより、止水板と接地板との間および止水板とレール材との間を水密状態にしている。
【先行技術文献】
【特許文献】
【０００５】
【特許文献１】特開２００１−３２９７５９号公報
【発明の概要】
【発明が解決しようとする課題】
【０００６】
しかし、特許文献１に記載の止水装置は、接地板とレール材とが溶接などにより一体化されているため、未使用時の保管に場所をとり、組立、解体時の取扱いに不便である。また、組立に際しては、接地板を出入口の床面に載置し、レール材を出入口の両側面に当接させるだけの構造であるため、接地板およびレール部材の取付強度が十分でなく、止水板に水圧が作用したとき、接地板やレール材が床面や壁面から外れるおそれがある。
また、接地板およびレール材に対して止水板を水密状態とするのに、第１、第２の各加圧装置を操作する必要があり、しかも、第１の加圧装置は止水板を下方へ押圧し、第２の加圧装置は止水板を前方へ押圧するもので押圧方向が一致しないため、加圧操作が難しく、適切な水密状態を得るのが容易でない。
【０００７】
この発明は、上記した問題に着目してなされたもので、未使用時の保管に場所をとらず、組立、解体時の取扱いが便利であり、洪水に際して迅速な対応が可能であり、簡単なネジの締付け作業だけで、確実な水密状態と優れた耐圧性とを得ることができる止水装置を提供することを目的とする。
【課題を解決するための手段】
【０００８】
この発明による止水装置は、構造物の開放された床面上の空間より水が流入しないように前記空間内の所定の位置で水を堰き止めるためのものであり、水を堰止める位置の床面に予め形成したネジ孔に対してパッキング材を中間に介在させてネジをねじ込むことにより固定される床板部材と、水を堰止める位置の構造物の対向する壁面に予め形成したネジ孔に対してパッキング材を中間に介在させてネジをねじ込むことにより固定される左右の支柱部材と、下端縁と両側縁とが前記床板部材と左右の支柱部材とにネジにより固定される止水板とから成る。前記止水板は、表裏両面が金属製の表層板、内部が中空または発泡材より成る芯材により構成されている。前記床板部材および左右の支柱部材は、溝幅が前記止水板の厚みより大きな凹溝を全長にわたって有する金属製の枠材であって対向する一方の側板部に複数のネジ孔が形成されている。前記止水板の下端縁は前記床板部材の凹溝内に、両側縁は前記左右の支柱部材の凹溝内に、それぞれ位置し、床板部材の他方の側板部と止水板との間および各支柱部材の他方の側板部と止水板との間にそれぞれパッキング材が介在し、各パッキング材が圧縮変形するように床板部材および各支柱部材に形成された前記の各ネジ孔にねじ込まれたネジの先端で止水板が押し付けられている。
【０００９】
上記した構成の止水装置において、床板部材と床面との間および支柱部材と構造物の壁面との間はネジにより固定されるとともに、中間にパッキング材を介在させているので、床板部材と床面との間および支柱部材と構造物の壁面との間が水密状態となり、また、止水板に作用する水圧によって床板部材や支柱部材が床面や壁面より離脱するおそれもない。さらに、止水板と床板部材の側板部との間および止水板と支柱部材の側板部との間にそれぞれパッキング材を介在させ、各パッキング材が圧縮変形するように床板部材および各支柱部材に形成された各ネジ孔にネジをねじ込んでネジの先端で止水板を押し付けるので、止水板と床板部材との間および止水板と支柱部材との間が水密状態となり、また、止水板に作用する水圧によって止水板が床板部材や支柱部材より離脱するおそれもない。
【００１０】
この発明の好ましい実施態様においては、前記止水板は、下端縁、両側縁、および上端縁に凹溝形の金属製の下枠材、側枠材、および上枠材がそれぞれ嵌着されており、前記上枠材には全長にわたって両側方へ突出するフランジが一体形成されている。
この実施態様によると、止水板は、下端縁、両側縁、および上端縁が金属製の下枠材、側枠材、および上枠材により補強されるうえ、前記上枠材がフランジによりさらに補強されるので、止水板の機械強度が高められる。また、上枠材にフランジが存在するので、組立や解体時に、フランジを持って止水板を運んだり手持ち操作したりすることができる。
【００１１】
この発明の上記した構成において、前記止水板は典型的には一枚ものであるが、堰止める水位を高くする場合は、複数個の止水板を上下に段積みして連ねることも可能であり、水を堰き止める範囲を広くする場合は、複数個の止水板を横並びに連ねることも可能である。
それゆえ、この発明のひとつの実施態様では、前記止水板は、上下に段積みされる複数個の止水板により構成されるとともに、上下の止水板の衝き合わせ部分はパッキング材を介在させて連結されており、また、この発明の他の実施態様では、前記止水板は、横並びに連なる複数個の止水板により構成されるとともに、左右の止水板の衝き合わせ部分はパッキング材を介在させて連結されている。
これらの実施態様によれば、上下の止水板の衝き合わせ部分はパッキング材により水密状態が保たれる。
【００１２】
この発明の好ましい実施態様においては、前記止水板は、床面上に縦設される支持アームにより屋内側より支えられている。
この実施態様においては、止水板に大きな水圧が作用しても、止水板は支持アームにより屋内側より支えられているので、水圧に耐えることができる。特に、複数個の止水板を連ねたものでは、支持アームの使用によって耐圧性の低下を防止できる。
【発明の効果】
【００１３】
この発明によると、組立、解体が容易であるうえに、床板部材と支柱部材と止水板とに解体されるので、未使用時の保管に場所をとらない。しかも、止水板は軽量であって、組立、解体時の取扱いが便利である。洪水に際しては、複数個所のネジの締付け作業だけで容易に組立ができるから、緊急時の迅速な対応が可能であり、組立後は確実な水密状態と優れた耐圧性とが得られる。
【図面の簡単な説明】
【００１４】
【図１】この発明の一実施例である止水装置を屋外の側より見た正面図である。
【図２】図１の止水装置を屋内の側より見た背面図である。
【図３】図１のＡ-Ａ線に沿う断面図である。
【図４】図１のＢ−Ｂ線に沿う断面図である。
【図５】図１のＣ−Ｃ線に沿う拡大断面図でありボルト締付け前の状態を示す図である。
【図６】図１のＣ−Ｃ線に沿う拡大断面図でありボルト締付け後の状態を示す図である。
【図７】図１のＤ−Ｄ線に沿う拡大断面図である。
【図８】アンカー部材のネジ孔にねじ込まれる蓋部材とボルトとを示すアンカー部材の一部を破断した正面図である。
【図９】この発明の他の実施例を示す正面図である。
【図１０】図９の実施例における上下の止水板の衝き合わせ部分を拡大して示す断面図である。
【図１１】この発明のさらに他の実施例を示す背面図である。
【図１２】図１１の実施例における上下の止水板の衝き合わせ部分を拡大して示す断面図である。
【図１３】この発明のさらに他の実施例を示す水平断面図である。
【発明を実施するための形態】
【００１５】
図１〜図４は、この発明の一実施例である止水装置１の構成を示している。図１において、Ｓは構造物の開放された床面上の空間、例えば、建物の出入口を示すもので、１０は水を堰き止める位置の床面を、１１，１２は水を堰き止める位置の構造物の対向する壁面を、それぞれ示している。
この実施例の止水装置１は、例えば、建物の出入口より建物内に水が流入しないように出入口の所定の位置で水を堰き止めるものであるが、この発明は、建物の出入口に限らず、地下鉄や地下道の出入口などにも適用実施できる。
【００１６】
なお、図１は建物の外（屋外）から見た止水装置１の外観を示し、同図に示された外観を止水装置１の正面とする。また、図２は建物の内（屋内）から見た止水装置１の外観を示し、同図に示された外観を止水装置１の背面とする。図３および図４では、Ｐが屋内を、Ｑが屋外を、それぞれ表しており、後述するボルト１６，１７の締付け作業は屋内Ｐの側で行う。
【００１７】
図示例の止水装置１は、床面１０上にボルト１４により固定される床板部材２と、建物の対向する壁面１１，１２の前記床板部材２の両端部上にボルト１５により固定される左右の支柱部材３，３と、下端縁と両側縁とが床板部材２と左右の支柱部材３，３とにボルト１６，１７により固定される止水板４とから成る。
水を堰き止める位置の床面１０の床板部材２を設置する箇所と、建物の対向する壁面１１，１２の各支柱部材３，３を設置する箇所には、図８に示すように、内部にネジ孔１３ａを有するアンカー部材１３がそれぞれ複数個所、打ち込まれて埋設されている。床面１０および建物の対向する壁面１１，１２に各アンカー部材１３のネジ孔１３ａが開口しており、止水装置１を設置しないときは、各ネジ孔１３ａに蓋状のネジ部材１００をねじ止めするなどして、各アンカー部材１３のネジ孔１３ａを塞いでおく。
【００１８】
床板部材２は、図３に示すように、上記した各アンカー部材１３のネジ孔１３ａに対してボルト１４のネジ軸をねじ込むことにより床面１０上に密接して固定される。床板部材２の下面にはゴムなどの弾性体よりなるパッキング材８１が全長にわたり接着剤により貼設されている。パッキング材８１は床板部材２と床面１０との間に介在し、ボルト１４を締め付けることによりパッキング材８１が圧縮変形し、これにより床板部材２と床面１０との間が水密状態となる。
【００１９】
各支柱部材３，３は、図４に示すように、上記した各アンカー部材１３のネジ孔１３ａに対してボルト１５のネジ軸をねじ込むことにより壁面１１，１２に密接して固定される。各支柱部材３の外側面にはゴムなどの弾性体よりなるパッキング材８２が全長にわたり接着剤により貼設されている。パッキング材８２は各支柱部材３と壁面１１，１２との間にそれぞれ介在し、ボルト１５を締め付けることによりパッキング材８２が圧縮変形し、これにより各支柱部材３と建物の壁面１１，１２との間が水密状態となる。
【００２０】
前記止水板４は、この実施例では横に長い長方形状であって、芯材４０の表裏両面に金属製の表層板４１，４２が接着剤により貼設された構造のものである。芯材４０として圧縮に強い発泡剤を用いることで止水板４の強度を維持しつつ軽量化を実現しているが、軽量化のために、内部が中空のものであってもよく、その場合は適所にリブを設けるなどして強度を高めることが望ましい。
この実施例では、前記表層板４１，４２として、表裏両面にアルミニウム、芯材にポリエチレンなどの樹脂を使用した軽量かつ強度に優れた三層構造のアルミ樹脂複合板（商品名：「アルポリック」）を用いているが、これに限られるものではない。
【００２１】
止水板４の下端縁、両側縁、および上端縁には凹溝形の金属製の下枠材５、側枠材６，６、および上枠材７がそれぞれ嵌着されている。下枠材５、側枠材６，６、および上枠材７はアルミニウムの押出成形品である。
【００２２】
下枠材５は、図５および図６に示すように、全長にわたる凹溝５０を有しており、止水板４の下端縁が凹溝５０に緊密に嵌め込まれるとともに、表裏の複数個所がネジ５６により止水板４に止着されている。止水板４の下端面は凹溝５０の底板部５１に接し、止水板４の下端縁の表裏両面は所定幅だけ対向する側板部５２，５３の内面に接している。底板部５１の下面には対向する突縁部５４，５５が一体形成されており、この突縁部５４，５５間の空間に前記ボルト１４の頭部が収まっている。なお、図５は、後述するパッキング材８が圧縮変形される前の状態を、図６は、パッキング材８が圧縮変形された後の状態を、それぞれ示している。
【００２３】
前記側枠材６も上記の下枠材５と同じ形態のものであり、図７に示すように、全長にわたる凹溝６０を有しており、止水板４の側端縁が凹溝６０に緊密に嵌め込まれるとともに、表裏の複数個所がネジ６６により止水板４に止着されている。止水板４の側端面は凹溝６０の底板部６１に接し、止水板４の側端縁の表裏両面は所定幅だけ対向する側板部６２，６３の内面に接している。底板部６１の下面には対向する突縁部６４，６５が一体形成されており、この突縁部６４，６５間の空間に前記ボルト１５の頭部が収まっている。
【００２４】
前記上枠材７は、図３に示すように、全長にわたる凹溝７０を有しており、止水板４の上端縁が凹溝７０に緊密に嵌め込まれるとともに、表裏の複数個所がネジ７５により止水板４に止着されている。止水板４の上端面は凹溝７０の底板部７１と間隔をあけて対向し、止水板４の上端縁の表裏両面は所定幅だけ対向する側板部７２，７３の内面に接している。上枠材７には全長にわたって強度維持のためのフランジ７４，７４が一体形成されている。このフランジ７４は両側方へ突出しており、止水板４を組立、解体する際に手持ちするための取っ手を兼ねている。
【００２５】
前記床板部材２は、アルミニウムの押出成形品であって凹溝形の枠材であり、図５および図６に示すように、溝幅が前記止水板４の厚み（厳密には前記下枠材５の厚み）より大きな凹溝２０を全長にわたって有している。凹溝２０は底板部２１と底板部２１を挟んで対向する側板部２２，２３とで構成されており、屋内Ｐの側の側板部２２に複数個のネジ孔２７が長さ方向の所定の位置に形成されている。
【００２６】
止水板４の下端縁に沿う下枠材５は、床板部材２の凹溝２０内に位置し、床板部材２の屋外Ｑの側の側板部２３と止水板４の下枠材５との間にゴムなどの弾性体より成るパッキング材８を介在させる。パッキング材８は床板部材２の側板部２３の内面に接着剤により貼設されている。床板部材２の側板部２２に形成された各ネジ孔２７にボルト１６のネジ軸がそれぞれねじ込まれ、パッキング材８が圧縮変形するように、凹溝２０内へ突き出たボルト１６のネジ軸の先端が止水板４を押し付けている。
【００２７】
屋外Ｑの側の側板部２３の上端縁にはパッキング材８を上面に沿う突部２６が内向きに一体形成されている。この突部２６の突出長さはパッキング材８が圧縮変形されたときのパッキング材８の厚みに対応させてある。この突部２６に下枠材５の側面が当たるまでボルト１６を締め付けてパッキング材８を圧縮変形させることで、止水板４の下端部と床板部材２との間が水密状態となる。
【００２８】
床板部材２の底板部２１の下面には対向する突縁部２４，２５が全長にわたって一体形成されている。前記パッキング材８１はこの突縁部２４，２５間の空間に前記パッキング材８１が収まるように接着剤により床板部材２に貼設されている。底板部２１の長さ方向の両端部位置にはボルト１４が挿入される貫通孔２８が形成されている。この貫通孔２８に挿通されたボルト１４のネジ軸をアンカー部材１３のネジ孔１３ａにねじ込み、パッキング材８１を圧縮変形させることにより床板部材２が床面１０に固定されるとともに、床板部材２と床面１０との間が水密状態となる。
【００２９】
前記の各支柱部材３は、アルミニウムの押出成形品であって凹溝形の枠材であり、図７に示すように、溝幅が前記止水板４の厚み（厳密には前記側枠材６の厚み）より大きな凹溝３０を全長にわたって有している。凹溝３０は底板部３１と底板部３１を挟んで対向する側板部３２，３３とで構成されており、屋内Ｐの側の側板部３２に複数個のネジ孔３７が長さ方向の所定の位置に形成されている。各支柱部材３は床板部材２の両端部上に位置し、各支柱部材３の凹溝３０は床板部材２の凹溝２０と連通する。
【００３０】
止水板４の両側縁に沿う各側枠材６は左右の各支柱部材３，３の凹溝３０内にそれぞれ位置し、各支柱部材３，３の屋外Ｑの側の側板部３３と止水板４の側枠材６との間にゴムなどの弾性体より成るパッキング材８０をそれぞれ介在させる。パッキング材８０は支柱部材３の側板部３３の内面に接着剤により貼設されている。各支柱部材３の側板部３２に形成された各ネジ孔３７にボルト１７のネジ軸がそれぞれねじ込まれ、パッキング材８０が圧縮変形するように、凹溝３０内へ突き出たボルト１７のネジ軸の先端が止水板４を押し付けている。
【００３１】
屋外Ｑの側の側板部３３の上端縁にはパッキング材８０を上面に沿う突部３６が内向きに一体形成されている。この突部３６の突出長さはパッキング材８０が圧縮変形されたときのパッキング材８０の厚みに対応させてある。この突部３６に側枠材６の側面が当たるまでボルト１７を締め付けてパッキング材８０を圧縮変形させることで、止水板４の側端部と各支柱部材３との間が水密状態となる。
【００３２】
支柱部材３の底板部３１の下面には対向する突縁部３４，３５が全長にわたって一体形成されている。前記パッキング材８２は突縁部３４，３５間の空間に前記パッキング材８２が収まるように接着剤により支柱部材３に貼設されている。底板部３１の長さ方向の両端部位置にはボルト１５が挿入される貫通孔３８が形成されている。この貫通孔３８に挿通されたボルト１５のネジ軸をアンカー部材１３のネジ孔１３ａにねじ込み、パッキング材８２を圧縮変形させることにより各支柱部材３が建物の壁面１１，１２に固定されるとともに、各支柱部材３と壁面１１，１２との間が水密状態となる。
【００３３】
図９は、この発明の他の実施例にかかる止水装置１を示している。この実施例は、上下に段積みされる２個の止水板４ａ，４ｂにより構成されるとともに、上下の止水板４ａ，４ｂの衝き合わせ部分はパッキング材８３を介在させて連結されたものであるが、この発明は２段構成のものに限らず、３段以上の構成のものであってもよい。
【００３４】
図示の止水装置１は、床面１０上に固定される床板部材２と、建物の対向する壁面１１，１２に固定される左右の支柱部材３，３と、下端縁と両側縁とが床板部材２と左右の支柱部材３，３とに固定される止水板４ａ，４ｂとから成る。この実施例の床板部材２および各支柱部材３は、各支柱部材３の高さが２個の止水板４ａ，４ｂが連ねられた高さに対応させている以外は、上記した実施例と同じ構成のものである。
【００３５】
図１０は、下段の止水板４ａと上段の止水板４ｂとの衝き合わせ部分を拡大して示している。下段の止水板４ａの上端縁には上枠材７が嵌められ、一方、上段の止水板４ｂの下端縁には下枠材５が嵌められており、下段の止水板４ａの上枠材７に一体形成されたフランジ７７と上段の止水板４ｂの下枠材５に一体形成されたフランジ５９とが上下に重ね合わされ複数個所がねじ止めされている。この上枠材７と下枠材５との間にはパッキング材８３を中間に介在させて連結することが可能な連結部１０１が全長にわたって形成されている。
【００３６】
図示例の連結部１０１は、下段の止水板４ａの上枠材７に全長にわたって上向きに一体形成された嵌合片７６と、上段の止水板４ｂの下枠材５に全長にわたって形成された下向きに開口した嵌合溝５７とを含んでいる。嵌合片７６は、全長が均一厚さであり、下段の止水板４ａの上枠材７の上面の幅中央部に位置している。前記嵌合溝５７は、上段の止水板４ｂの下枠材５の凹溝５０内に突設された鞘状部５８の内部に形成されており、嵌合片７６と嵌合溝５７とが緊密に嵌合するように嵌合片７６の厚みと嵌合溝５７の溝幅とがほぼ一致させてある。
【００３７】
嵌合片７６の突出長さは嵌合溝５７の溝深さより小さな値に設定されている。嵌合溝５７の内部にはゴムなどの弾性体より成るパッキング材８３が嵌め込まれており、嵌合溝５７に嵌合片７６を嵌入したとき、パッキング材８３が圧縮変形することで下段の止水板４ａと上段の止水板４ｂとの間が水密状態となる。
なお、上下の止水板４ａ，４ｂのその他の構成は、前記の実施例と同様であり、ここでは対応する構成に同一の符号を付することで説明を省略する。
【００３８】
図１１は、この発明のさらに他の実施例を示している。この実施例は、止水板が上下に段積みされた２個の止水板４ａ，４ｂにより構成されるとともに、この上下の止水板４ａ，４ｂを床面１０上に縦設した３本の支持アーム９により屋内Ｐの側より支えるようにしている。
【００３９】
各支持アーム９は、図１１および図１２に示すように、長さの調節が可能な金属製パイプより成るアーム本体９０の両端にネジ軸９１を介して取付金具９２，９３がそれぞれ取り付けられたものである。各ネジ軸９１は、一端部に取付金具９２，９３を構成する連結板９４が取り付けられ、他端部はアーム本体９０の両端に装着されたナット部材（図示せず）にねじ込まれている。
【００４０】
支持アーム９の上端部側の取付金具９２は、基板部９５上に前記連結板９４を両側より挟むように一対の取付板９６，９６が一体形成されるとともに、枢軸９７上に前記連結板９４と取付板９６，９６とを回動自由に支持することにより連結板９４に対して取付板９６を屈曲可能としたものである。取付金具９２の基板部９５は下段の止水板４ａの上枠材７と上段の止水板７ｂの下枠材５との衝き合わせ部分にねじ固定されている。この場合、上枠材７と下枠材５との衝き合わせ部分は、基板部９５を取り付けるために、その取付箇所のフランジ７７，５９は欠除してある。
【００４１】
支持アーム９の下端部側の取付金具９３も、上端部側の取付金具９２と同様の構成のものであり、基板部９５に形成した２個の貫通孔にボルト９８，９８をそれぞれ通して基板部９５を床面１０に埋設したアンカー部材（図示せず）のネジ孔にねじ込むことにより固定している。
【００４２】
図１３は、この発明のさらに他の実施例にかかる止水装置１を示している。この実施例の止水装置１は、横並びに連なる２個の止水板４Ｌ，４Ｒにより構成されるとともに、左右の止水板４Ｌ，４Ｒの衝き合わせ部分はパッキング材８４，８５を介して連結されたものであるが、この発明はこれに限らず、３個以上の止水板を連ねて構成されたものであってもよい。
【００４３】
図示の止水装置１は、建物の対向する壁面１１，１２の中間の床面１０上にパッキング材（図示せず）を介して縦設される角パイプ状の連結部材１１０と、床面１０上の一方の壁面１１と前記連結部材１１０との間および連結部材１１０と他方の壁面１２との間にパッキング材（図示せず）を介して固定される左右一対の床板部材２，２と、建物の対向する壁面１１，１２にそれぞれ固定される支柱部材３，３と、前記連結部材１１０の前記壁面１１，１２と対向する面にそれぞれパッキング材８４，８５を介してボルト１１１により一体に固定される中間の支柱部材３Ｍ，３Ｍと、下端縁と両側縁と床板部材２と左側の支柱部材３と中間の支柱部材３Ｍとに固定される止水板４Ｌと、下端縁と両側縁とが床板部材２と右側の支柱部材３と中間の支柱部材３Ｍとに固定される止水板４Ｒとから成る。
【００４４】
一方の止水板４Ｌの両側縁は左側の支柱部材３の凹溝３０と中間の支柱部材３Ｍの凹溝３０内とにそれぞれ位置し、同様に、他方の止水板４Ｒの両側縁は右側の支柱部材３の凹溝３０と中間の支柱部材３Ｍの凹溝３０内とにそれぞれ位置しており、上記した実施例と同様の構成のパッキング材８０が圧縮変形するように各支柱部材３および中間の支柱部材３Ｍのそれぞれに形成されたネジ孔にねじ込まれたボルト１７のネジ軸の先端で止水板４Ｌ，４Ｒを押し付けるようにしている。
なお、図示していないが、この左右の止水板４ａ，４ｂの衝き合わせ部分を床面１０上に縦設した支持アームにより屋内Ｐの側より支えるように構成することもできる。
【００４５】
図１〜図４に示す実施例の止水装置１において、床板部材２と床面１０との間および左右の各支柱部材３，３と建造物の壁面１１，１２との間はボルト１４，１５によりそれぞれ固定されるとともに、中間にパッキング材８２，８３を介在させているので、床板部材２と床面１０との間および各支柱部材３，３と建造物の壁面１１，１２との間は水密状態となる。また、止水板４に作用する水圧によって床板部材２や各支柱部材３，３が床面１０や壁面１１，１２より離脱するおそれはない。
【００４６】
さらに、止水板４と床板部材２の屋外Ｑの側の側板部２３との間にはパッキング材８を、止水板４と各支柱部材３，３の屋外Ｑの側の側板部３３との間にはパッキング材８０を、それぞれ介在させ、各パッキング材８，８０が圧縮変形するように、床板部材２および各支柱部材３，３の屋内Ｐの側の側板部２２，３２に形成された各ネジ孔２７，３７にボルト１６，１７のネジ軸をねじ込んで、ネジ軸の先端で止水板４を押し付けているので、止水板４と床板部材２との間および止水板４と各支柱部材３，３との間が水密状態となり、また、止水板４に作用する水圧によって止水板４が床板部材２や各支柱部材３，３より離脱することもない。なお、各ボルト１６，１７を各ネジ孔２７，３７にねじ込むとき、ネジ軸の先端が止水板４に突き当たるまで手先でねじ込み、その後は、六角レンチなどの工具を使って各ボルト１６，１７を締め付けて止水板４を押圧する。
【００４７】
平時は、床板部材２と左右の各支柱部材３，３と止水板４とは解体された状態にあり、各アンカー部材１３のネジ孔１３ａには蓋状のネジ部材１００がねじ込まれてネジ孔１３ａが塞がれている。床板部材２や各支柱部材３，３はボルト１４，１５により組立、解体が容易であり、また、止水板４は芯材４０が発泡材より成るので、軽量であって床板部材２および各支柱部材３，３に対する組付や解体が容易である。そして、解体時は床板部材２と２本の支柱部材３，３と止水板４とに解体されるので、未使用時の保管に場所をとらない。例えば、壁面に棚受けのためのＬ形アングルを左右に取り付け、そのアングル上に止水板４を載せることで止水板４を棚板として兼用でき、その棚板の上に床板部材２や支柱部材３を載せて保管するとよい。
【００４８】
洪水に際しては、全てのアンカー部材１３の蓋状のネジ部材１００を外してネジ孔１３ａを開放した後、床板部材２は床面１０に、各支柱部材３，３は建物の対向する壁面１１，１２に、それぞれボルト１４，１５により固定する。
次に、止水板４は、下端縁を床板部材２の凹溝２０内に、両側縁は左右の各支柱部材３，３の凹溝３０内に、それぞれ位置させた後、床板部材２の屋外Ｑの側の側板部２３と止水板４との間に介在するパッキング材８が圧縮変形するように、また、各支柱部材３，３の屋外Ｑの側の側板部３３と止水板４との間に介在するパッキング材８０が圧縮変形するように、床板部材２の屋内Ｐの側の側板部２２に形成された各ネジ孔２７にボルト１６を、各支柱部材３，３の屋内Ｐの側の側板部３２に形成された各ネジ孔３７にボルト１７を、それぞれねじ込んで各ボルト１６，１７のネジ軸の先端を止水板４に押し付ける。これにより、止水板４は床板部材２および各支柱部材３，３に水密状態で固定される。
【００４９】
なお、図９〜図１３に示した他の実施例について、上記した実施例と同様の作用、効果を奏するものであり、ここでは説明を省略する。
【符号の説明】
【００５０】
１    止水装置
２    床板部材
３    支柱部材
３Ｍ  中間の支柱部材
４，４ａ，４ｂ，４Ｌ，４Ｒ  止水板
５    下枠材
６    側枠材
７    上枠材
８，８０，８１，８２，８３，８４，８５  パッキング材
９    支持アーム
１０  床面
１１，１２  壁面
１３  アンカー部材
１３ａ  ネジ孔
１４，１５，１６，１７  ボルト
２０，３０  凹溝
２２，２３，３２，３３  側板部
２７，３７  ネジ孔
４０  芯材
７４  フランジ
【図１】
2015161130.tif 000003
【図２】
2015161130.tif 000004
【図３】
2015161130.tif 000005
【図４】
2015161130.tif 000006
【図５】
2015161130.tif 000007
【図６】
2015161130.tif 000008
【図７】
2015161130.tif 000009
【図８】
2015161130.tif 000010
【図９】
2015161130.tif 000011
【図１０】
2015161130.tif 000012
【図１１】
2015161130.tif 000013
【図１２】
2015161130.tif 000014
【図１３】
2015161130.tif 000015
【手続補正書】
【提出日】平成27年2月19日(2015.2.19)
【手続補正１】
【補正対象書類名】特許請求の範囲
【補正対象項目名】請求項１
【補正方法】変更
【補正の内容】
【請求項１】
構造物の開放された床面上の空間より水が流入しないように前記空間内の所定の位置で水を堰き止めるための止水装置であって、
水を堰止める位置の床面に予め形成したネジ孔に対して第１のパッキング材を中間に介在させてネジをねじ込み前記パッキング材を圧縮変形させることにより床面上に水密状態で固定される床板部材と、水を堰止める位置の構造物の対向する壁面に予め形成したネジ孔に対して第２のパッキング材をそれぞれ中間に介在させてネジをねじ込み前記パッキング材を圧縮変形させることにより各壁面に水密状態で固定される左右の支柱部材と、下端縁が前記床板部材に、両側縁が前記の左右の支柱部材に、それぞれネジにより固定される止水板とから成り、
前記止水板は、表裏両面が金属製の表層板、内部が中空または発泡材より成る芯材により構成され、前記床板部材および左右の支柱部材は、溝幅が前記止水板の厚みより大きな凹溝を全長にわたって有する金属製の枠材であって底板部と底板部を挟んで対向する側板部とで前記凹溝が形成されるとともに、一方の側板部に複数のネジ孔が形成され、前記底板部の下面には前記の第１、第２のパッキング材が貼設されており、
前記の各支柱部材の凹溝は、前記床板部材の凹溝と連通し、前記止水板の下端縁は前記床板部材の凹溝内に位置し、床板部材の他方の側板部と止水板との間に介在させた第３のパッキング材を圧縮変形するように床板部材に形成された前記の各ネジ孔にねじ込まれたネジの先端で止水板が押し付けられることにより止水板の下端縁が床板部材に水密状態で固定され、前記止水板の両側縁は前記左右の支柱部材の凹溝内に位置し、各支柱部材の他方の側板部と止水板との間にそれぞれ介在させた第４のパッキング材を圧縮変形するように各支柱部材に形成された前記の各ネジ孔にねじ込まれたネジの先端で止水板が押し付けられることにより止水板の両側縁が各支柱部材に水密状態で固定されて成る止水装置。
【手続補正２】
【補正対象書類名】明細書
【補正対象項目名】０００８
【補正方法】変更
【補正の内容】
【０００８】
この発明による止水装置は、構造物の開放された床面上の空間より水が流入しないように前記空間内の所定の位置で水を堰き止めるためのものであり、水を堰止める位置の床面に予め形成したネジ孔に対して第１のパッキング材を中間に介在させてネジをねじ込み前記パッキング材を圧縮変形させることにより床面上に水密状態で固定される床板部材と、水を堰止める位置の構造物の対向する壁面に予め形成したネジ孔に対して第２のパッキング材をそれぞれ中間に介在させてネジをねじ込み前記パッキング材を圧縮変形させることにより各壁面に水密状態で固定される左右の支柱部材と、下端縁が前記床板部材に、両側縁が前記の左右の支柱部材に、それぞれネジにより固定される止水板とから成る。前記止水板は、表裏両面が金属製の表層板、内部が中空または発泡材より成る芯材により構成されている。前記床板部材および左右の支柱部材は、溝幅が前記止水板の厚みより大きな凹溝を全長にわたって有する金属製の枠材であって底板部と底板部を挟んで対向する側板部とで前記凹溝が形成されるとともに、一方の側板部に複数のネジ孔が形成され、前記底板部の下面には前記の第１、第２のパッキング材が貼設されている。前記の各支柱部材の凹溝は、前記床板部材の凹溝と連通し、前記止水板の下端縁は前記床板部材の凹溝内に位置し、床板部材の他方の側板部と止水板との間に介在させた第３のパッキング材を圧縮変形するように床板部材に形成された前記の各ネジ孔にねじ込まれたネジの先端で止水板が押し付けられることにより止水板の下端縁が床板部材に水密状態で固定され、前記止水板の両側縁は前記左右の支柱部材の凹溝内に位置し、各支柱部材の他方の側板部と止水板との間にそれぞれ介在させた第４のパッキング材を圧縮変形するように各支柱部材に形成された前記の各ネジ孔にねじ込まれたネジの先端で止水板が押し付けられることにより止水板の両側縁が各支柱部材に水密状態で固定されている。
【手続補正３】
【補正対象書類名】明細書
【補正対象項目名】０００９
【補正方法】変更
【補正の内容】
【０００９】
上記した構成の止水装置において、床板部材と床面との間および支柱部材と構造物の壁面との間はネジにより固定されるとともに、中間に第１、第２の各パッキング材を介在させているので、床板部材と床面との間および支柱部材と構造物の壁面との間が水密状態となり、また、止水板に作用する水圧によって床板部材や支柱部材が床面や壁面より離脱するおそれもない。さらに、止水板と床板部材の側板部との間および止水板と支柱部材の側板部との間にそれぞれ第３、第４の各パッキング材を介在させ、各パッキング材が圧縮変形するように床板部材および各支柱部材に形成された各ネジ孔にネジをねじ込んでネジの先端で止水板を押し付けるので、止水板と床板部材との間および止水板と支柱部材との間が水密状態となり、また、止水板に作用する水圧によって止水板が床板部材や支柱部材より離脱するおそれもない。
【手続補正４】
【補正対象書類名】図面
【補正対象項目名】図７
【補正方法】変更
【補正の内容】
【図７】
2015161130.tif 000016